(57)【特許請求の範囲】
【請求項１】
第１の液晶セルと、この第１の液晶セルの表面側に設けられた第１の偏光板と、前記第１の液晶セルの裏面側に設けられた第２の偏光板と、この第２の偏光板の裏面側に設けられた第２の液晶セルと、この第２の液晶セルの裏面側に設けられ、互いに直交する２つの方向のうち一方の方向に沿った偏光成分の入射光を反射させる反射軸と他方の方向に沿った偏光成分の入射光を透過させる透過軸とを有する反射偏光板からなる第３の偏光板と、該第３の偏光板の裏面側に設けられ、着色された光を前記第３偏光板に向けて出射する反射板またはバックライト手段とを備えることを特徴とする液晶表示装置。
【請求項２】
第２の液晶セルの裏面側に、カラー反射板を配置したことを特徴とする請求項1に記載の液晶表示装置。
【請求項３】
第２の液晶セルの裏面側に配置されるカラー反射板は、第３偏光板の裏面側に形成したカラー印刷層からなることを特徴とする請求項1に記載の液晶表示装置。
【請求項４】
第２の液晶セルの裏面側に、拡散板とカラー発光ダイオードアレイからなるカラーバックライトを配置したことを特徴とする請求項1に記載の液晶表示装置。
【発明の詳細な説明】
【０００１】
【発明の属する技術分野】
この発明は、１画素で鏡面を含む３種類の表示を行なうことができる液晶表示装置に関する。
【０００２】
【従来の技術】
従来の液晶表示装置では、通常、１画素で２種類の表示しか行なえなかった。すなわち、白黒表示か、カラーフィルタ等の色要素を用いる場合は、その色要素の色と黒との２種表示であった。
【０００３】
【発明が解決しようとする課題】
したがって、画素数が少なく混色表示が難しいセグメント形式等の液晶表示装置では、自ずとバリエーションに乏しい単調な表示になる傾向があった。
なお、液晶の複屈折作用を利用して１画素において複数色の表示が行なえる電界制御複屈折効果(ＥＣＢ)型の液晶表示装置があるが、この場合、液晶のΔn・dが大きいことが要求され、また、色純度が低く温度依存性が大きい等、種々の欠点がある。
この発明の課題は、１画素で３種類以上の表示を行なうことができ、表示色の色純度が高くバリエーションに富んだ表示を環境温度等に影響されず安定して行なうことができる液晶表示装置を提供することである。
【０００４】
【課題を解決するための手段】
この発明は、第１の液晶セルと、この第１の液晶セルの表面側に設けられた第１の偏光板と、前記第１の液晶セルの裏面側に設けられた第２の偏光板と、この第２の偏光板の裏面側に設けられた第２の液晶セルと、この第２の液晶セルの裏面側に設けられ、互いに直交する２つの方向のうち一方の方向に沿った偏光成分の入射光を反射させる反射軸と他方の方向に沿った偏光成分の入射光を透過させる透過軸とを有する反射偏光板からなる第３の偏光板と、該第３の偏光板の裏面側に設けられ、着色された光を前記第３偏光板に向けて出射する反射板またはバックライト手段とを備える液晶表示装置である。
【０００５】
この発明によれば、第１及び第２の液晶セルの各液晶への電圧の印加の有無により、反射板またはバックライト手段に応じた色での表示と黒表示と鏡面表示を行なうことができ、したがって反射板またはバックライト手段に応じた色と黒との２色表示のほかに鏡面表示を行なうことができる。
【０００６】
【発明の実施の形態】
（第１実施形態）
図１（Ａ）はこの発明の第１実施形態における液晶表示装置の要部を示したものである。この液晶表示装置は、反射型であって、所定パターンの電極を設けたセグメント型の白黒表示の第１の液晶セル１を備えている。第１の液晶セル１は、相対向する面にそれぞれ電極２、３及び配向膜４、５が設けられた一対の基板６、７の配向膜４、５間に図示していないシール材により液晶８が封入された構造となっている。第１の液晶セル１の表面側（観察側）には第１の偏光板９が設けられている。第１の液晶セル１の裏面側（反観察側）には第２の偏光板１０が設けられている。第２の偏光板１０の裏面側にはセグメント型の白黒表示の第２の液晶セル１１が設けられている。第２の液晶セル１１は、第１の液晶セル１と同様に、相対向する面にそれぞれ第１の液晶セル１と同じパターンの電極１２、１３及び配向膜１４、１５が設けられた一対の基板１６、１７の配向膜１４、１５間に液晶１８が封入された構造となっている。第２の液晶セル１１の裏面側には反射偏光板１９が設けられている。反射偏光板１９の裏面側にはカラー反射板２０が設けられている。
【０００７】
次に、図２は反射偏光板１９を説明するための斜視図を示したものである。この反射偏光板１９は、互いにほぼ直交する反射軸１９ｓ及び透過軸１９ｐを有し、入射光のうちの反射軸１９ｓに沿った偏光成分（以下、Ｓ偏光成分という）を反射させ、透過軸１９ｐに沿った偏光成分（以下、Ｐ偏光成分という）を透過させるようになっている。すなわち、反射偏光板１９の表面側から、光が入射されると、この入射光のうち反射軸１９ｓに沿ったＳ偏光成分の光は反射偏光板１９で反射され、透過軸１９ｐに沿ったＰ偏光成分の光は反射偏光板１９を透過する。なお、反射偏光板１９は裏面側からの入射光に対しても同様の特性を有する。
【０００８】
次に、図１（Ｂ）を参照して、第１の液晶セル１の両配向膜４、５の配向処理方向、第２の液晶セル１１の両配向膜１４、１５の配向処理方向、偏光板９、１０の透過軸及び反射偏光板１９の透過軸等の光学軸の関係を表面側から見た場合について説明する。第１の液晶セル１の表面側の配向膜４の配向処理方向４ａは、左下側から右上側に向かう方向となっている。第１の液晶セル１の裏面側の配向膜５の配向処理方向５ａは、左上側から右下側に向かう方向となっている。したがって、この場合の第１の液晶セル１の液晶８の液晶分子は、裏面側から表面側に向かって矢印８ａで示す時計回り方向へほぼ９０°のツイスト角でツイスト配向されている。第１の偏光板９の透過軸９ａは、第１の液晶セル１の表面側の配向膜４の配向処理方向４ａとほぼ平行とされ、吸収軸９ｂは、透過軸９ａに対して直交されている。第２の偏光板１０の透過軸１０ａは、第１の液晶セル１の裏面側の配向膜５の配向処理方向５ａとほぼ平行とされ、吸収軸１０ｂは、透過軸１０ａに対して直交されている。第２の液晶セル１１の表面側の配向膜１４の配向処理方向１４ａ及び裏面側の配向膜１５の配向処理方向１５ａは、第１の液晶セル１と同じ方向となっている。したがって、この場合も、第２の液晶セル１１の液晶１８の液晶分子は、裏面側から表面側に向かって矢印１８ａで示す時計回り方向へほぼ９０°のツイスト角でツイスト配向されている。反射偏光板１９の透過軸１９ｐは、第２の液晶セル１１の裏面側の配向膜１５の配向処理方向１５ａとほぼ平行とされている。したがって、反射偏光板１９の反射軸１９ｓは、第２の液晶セル１１の裏面側の配向膜１５の配向処理方向１５ａに対してほぼ直交されている。
【０００９】
次に、この液晶表示装置の表示動作について説明する。まず、第１の液晶セル１の両電極２、３間に電圧が印加されず、第２の液晶セル１１の両電極１２、１３間にも電圧が印加されない状態にある場合には、表面側からの外光のうち第１の偏光板９を透過して第１の液晶セル１に入射した直線偏光光は、第１の液晶セル１を透過する過程で旋光作用を受けてほぼ９０°旋光され、次いで第２の偏光板１０を透過し、次いで第２の液晶セル１１を透過する過程で旋光作用を受けてほぼ９０°旋光され、次いで反射偏光板１９で正反射（鏡面反射）される。この反射光は、第２の液晶セル１１を透過する過程で旋光作用を受けてほぼ９０°旋光され、次いで第２の偏光板１０を透過し、次いで第１の液晶セル１を透過する過程で旋光作用を受けてほぼ９０°旋光され、次いで第１の偏光板９を透過して表面側に出射される。したがって、この状態では、鏡面表示となる。
【００１０】
次に、第２の液晶セル１１の両電極１２、１３間にのみ電圧が印加された場合には、表面側からの外光のうち第１の偏光板９を透過して入射した直線偏光光は、まず上述の場合と同様に、第１の液晶セル１及び第２の偏光板１０を順次透過し、次いで第２の液晶セル１１を旋光作用を受けずにそのまま透過し、次いで反射偏光板１９を透過し、次いでカラー反射板２０で反射される。この反射光は反射偏光板１９を透過し、次いで第２の液晶セル１１を旋光作用を受けずにそのまま透過し、次いで上述の場合と同様に、第２の偏光板１０、第１の液晶セル１及び第１の偏光板９を順次透過して表面側に出射される。したがって、この状態では、カラー反射板２０の色での表示となる。
【００１１】
次に、第１の液晶セル１の両電極２、３間に電圧が印加された場合には、表面側からの外光のうち第１の偏光板９を透過して入射した直線偏光光は、第１の液晶セル１を旋光作用を受けずにそのまま透過し、次いで第２の偏光板１０で吸収される。したがって、この場合、第２の液晶セル１１まで光が到達しないから、第２の液晶セル１１の両電極１２、１３間に電圧を印加しても、黒表示となる。つまり、第１の液晶セル１の両電極２、３間に電圧を印加した場合は、第２の液晶セル１１に電圧を印加してもしなくても、常に黒表示となる。
【００１２】
以上のように、この液晶表示装置では、１画素において、カラー反射板２０の色と黒との２色表示のほかに鏡面表示を行なうことができ、したがって表示のバリエーションを豊かにすることができる。なお、この液晶表示装置を全画素を鏡面表示とした場合には、電圧が印加されない画素間等の画素部以外も鏡面表示となっているから、鏡として使用することもできる（以下の場合も同じである）。ところで、カラー反射板２０の代わりに単なる白色の拡散反射板を用いた場合には、白黒表示のほかに鏡面表示が行なわれることになる。
【００１３】
（第２実施形態）
図３（Ａ）はこの発明の第２実施形態における液晶表示装置の要部を示したものであり、図３（Ｂ）はその液晶セルの両配向膜の配向処理方向等の光学軸の関係を示したものである。この実施形態において、図１（Ａ）及び（Ｂ）に示す上記第１実施形態の場合と異なる点は、カラー反射板２０の代わりに、反射偏光板１９の裏面にカラー印刷層２１を設けた点である。この場合の表示動作は上記第１実施形態の場合と同じであるので、その説明を省略する。ただし、この場合には、反射偏光板１９の裏面にカラー印刷層２１を設けているので、部品点数を少なくすることができる。
【００１４】
（第３実施形態）
図４（Ａ）はこの発明の第３実施形態における液晶表示装置の要部を示したものであり、図４（Ｂ）はその液晶セルの両配向膜の配向処理方向等の光学軸の関係を示したものである。この実施形態において、図１（Ａ）及び（Ｂ）に示す上記第１実施形態の場合と異なる点は、カラー反射板２０の代わりに、カラーエレクトロルミネセンスパネル（カラーバックライト、以下、カラーＥＬパネルという）２２を用いた点である。
【００１５】
次に、この液晶表示装置の表示動作について説明する。まず、第１の液晶セル１の両電極２、３間に電圧が印加されず、第２の液晶セル１１の両電極１２、１３間にも電圧が印加されない状態にある場合には、上記第１実施形態の場合と同様に、鏡面表示となる。この場合、点灯しているカラーＥＬパネル２２からの光のうち反射偏光板１９の透過軸１９ｐに沿ったＰ偏光成分の光は、反射偏光板１９を透過し、次いで第２の液晶セル１１を透過する過程で旋光作用を受けてほぼ９０°旋光され、次いで第２の偏光板１０で吸収される。したがって、この場合には、カラーＥＬパネル２２の点灯に関係なく、鏡面表示となる。
【００１６】
次に、第１の液晶セル１の両電極２、３間にのみ電圧が印加された場合には、上記第１実施形態の場合と同様に、黒表示となる。また、この場合も、上記の場合と同様に、カラーＥＬパネル２２の点灯に関係なく、黒表示となる。
【００１７】
次に、第２の液晶セル１１の両電極１２、１３間にのみ電圧が印加された場合には、点灯しているカラーＥＬパネル２２からの光のうち反射偏光板１９の透過軸１９ｐに沿ったＰ偏光成分の光は、反射偏光板１９を透過し、次いで第２の液晶セル１１を旋光作用を受けずにそのまま透過し、次いで第２の偏光板１０を透過し、次いで第１の液晶セル１を透過する過程で旋光作用を受けてほぼ９０°旋光され、次いで第１の偏光板９を透過して表面側に出射される。したがって、この状態では、カラーＥＬパネル２２の発光色での表示となる。
【００１８】
以上のように、この液晶表示装置では、カラーＥＬパネル２２の色と黒との２色表示のほかに鏡面表示を行なうことができ、したがって表示のバリエーションを豊かにすることができる。
【００１９】
（第４実施形態）
図５（Ａ）はこの発明の第４実施形態における液晶表示装置の要部を示したものであり、図５（Ｂ）はその液晶セルの両配向膜の配向処理方向等の光学軸の関係を示したものである。この実施形態において、図４（Ａ）及び（Ｂ）に示す上記第３実施形態の場合と異なる点は、カラーＥＬパネル２２の代わりに、拡散板２３及びカラー発光ダイオードアレイ（カラーバックライト）２４がこの順で設けられている点である。この場合の表示動作は上記第３実施形態の場合とほぼ同じであるので、その説明を省略する。ただし、この場合、カラー発光ダイオードアレイ２４からの光は拡散板２３で拡散され反射偏光板１９に対し均一に投射される。
【００２０】
（第１参考例）
図６（Ａ）は、第１参考例における液晶表示装置の要部を示したものであり、図６（Ｂ）はその液晶セルの両配向膜の配向処理方向等の光学軸の関係を示したものである。この参考例において、図１（Ａ）及び（Ｂ）に示す上記第１実施形態の場合と異なる点は、第１の偏光板９の代わりに、赤色偏光板（カラー偏光板）２５を用いた点である。この場合、赤色偏光板２５の透過軸２５ａは、第１の液晶セル１の表面側の配向膜４の配向処理方向４ａとほぼ平行とされ、吸収軸２５ｂは、透過軸２５ａに対して直交されている。
【００２１】
次に、赤色偏光板２５について説明する。図７は赤色偏光板２５を説明するための斜視図である。この赤色偏光板２５は、入射光が赤色光の場合、偏光作用を及ぼすことなくそのまま透過させ、入射光が緑色光及び青色光の場合、透過軸２５ａに沿った偏光成分の光を透過させ、吸収軸２５ｂに沿った偏光成分の光を吸収するようになっている。すなわち、赤色偏光板２５の表面側から外光（自然光）が入射されると、赤色光は赤色偏光板２５をそのまま透過し、緑色光及び青色光のうち透過軸２５ａに沿った偏光成分の光は赤色偏光板２５を透過し、吸収軸２５ｂに沿った偏光成分の光は赤色偏光板２５で吸収される。
【００２２】
次に、この液晶表示装置の表示動作について説明する。まず、第１の液晶セル１の両電極２、３間に電圧が印加されず、第２の液晶セル１１の両電極１２、１３間にも電圧が印加されない状態にある場合には、表面側から外光が入射されると、赤色光が赤色偏光板２５をそのまま透過するとともに、緑色光及び青色光のうち赤色偏光板２５の透過軸２５ａに沿った偏光成分の光が赤色偏光板２５を透過する。この透過光は、次いで第１の液晶セル１を透過する過程で旋光作用を受けてほぼ９０°旋光され、次いで第２の偏光板１０を透過し、次いで第２の液晶セル１１を透過する過程で旋光作用を受けてほぼ９０°旋光され、次いで反射偏光板１９で正反射（鏡面反射）される。この反射光は、第２の液晶セル１１を透過する過程で旋光作用を受けてほぼ９０°旋光され、次いで第２の偏光板１０を透過し、次いで第１の液晶セル１を透過する過程で旋光作用を受けてほぼ９０°旋光され、次いで赤色偏光板２５を透過して表面側に出射される。したがって、この状態では、鏡面表示となる。
【００２３】
次に、第２の液晶セル１１の両電極１２、１３間にのみ電圧が印加された場合には、表面側からの外光のうち赤色偏光板２５をそのまま透過して入射された赤色光と偏光作用を受けて透過して入射された緑色光及び青色光の各直線偏光光は、まず上述の場合と同様に、第１の液晶セル１及び第２の偏光板１０を順次透過し、次いで第２の液晶セル１１を旋光作用を受けずにそのまま透過し、次いで反射偏光板１９を透過し、次いでカラー反射板２０で反射される。この反射光は反射偏光板１９を透過し、次いで第２の液晶セル１１を旋光作用を受けずにそのまま透過し、次いで上述の場合と同様に、第２の偏光板１０、第１の液晶セル１及び赤色偏光板２５を順次透過して表面側に出射される。したがって、この状態では、カラー反射板２０の色での表示となる。
【００２４】
次に、第１の液晶セル１の両電極２、３間にのみ電圧が印加された場合には、表面側からの外光のうち赤色偏光板２５の偏光作用を受けて入射された緑色光及び青色光の各直線偏光光は、第１の液晶セル１を旋光作用を受けずにそのまま透過し、次いで第２の偏光板１０で吸収される。一方、表面側からの外光のうち赤色偏光板２５の偏光作用を受けずそのまま透過して入射された直線偏光化されていない赤色光も、第１の液晶セル１は旋光作用を受けずにそのまま透過する。この透過赤色光のうち第２の偏光板１０の透過軸１０ａに沿った偏光成分光は、第２の偏光板１０を透過し、次いで第２の液晶セル１１を透過する過程で旋光作用を受けてほぼ９０°旋光され、次いで反射偏光板１９で鏡面反射される。この反射赤色光は第２の液晶セル１１を透過する過程で旋光作用を受けてほぼ９０°旋光され、次いで第２の偏光板１０を透過し、次いで第１の液晶セル１を旋光作用を受けずにそのまま透過し、次いで赤色偏光板２５を透過して表面側に出射される。したがって、この状態では、赤鏡面表示となる。
【００２５】
なお、第１の液晶セル１の両電極２、３間に電圧が印加され、第２の液晶セル１１の両電極１２、１３間にも電圧が印加された場合には、カラー反射板２０の色によって表示が異なってくる。次に、これについて説明する。表面側からの外光のうち赤色偏光板２５を透過して入射された緑色光及び青色光の各直線偏光光は、上述の場合と同様に、第２の偏光板１０で吸収される。一方、表面側からの外光のうち赤色偏光板２５をそのまま透過して入射された赤色光は、上述の場合と同様に、第１の液晶セル１を透過する。この透過赤色光のうち第２の偏光板１０の透過軸１０ａに沿った直線偏光光は、第２の偏光板１０を透過し、次いで電圧が印加された第２の液晶セル１１を旋光作用を受けずにそのまま透過し、次いで反射偏光板１９を透過し、カラー反射板２０で反射される。したがって、カラー反射板２０が赤色の場合は、赤色表示となる。カラー反射板が赤色以外で赤の補色の緑色の場合は黒表示となり、その他の色の場合は、種々の波長光が混じった表示として不適な濁色となる。したがって、緑色のカラー反射板を用いた場合は、鏡面と光沢のある赤色、緑色及び黒色の４種表示が得られる。
【００２６】
以上のように、この液晶表示装置では、カラー反射板２０の色と赤色偏光板２５をそのまま透過する赤色との２色表示のほかに鏡面表示と黒色表示を行なうことができ、したがって表示のバリエーションを豊かにすることができる。
【００２７】
なお、上記第１参考例では、赤色偏光板２５を用いた場合について説明したが、これに限らず、緑色偏光板あるいは青色偏光板を用いるようにしてもよい。また、上記第１参考例では、カラー反射板２０を用いた場合について説明したが、これに限らず、例えば図３（Ａ）に示すカラー印刷層２１を用いてもよく、また図４（Ａ）に示すカラーＥＬパネル２２を用いてもよく、さらに図５（Ａ）に示す拡散板２３及びカラー発光ダイオードアレイ２４を用いてもよい。
【００２８】
（第５実施形態）
図８（Ａ）はこの発明の第５実施形態における液晶表示装置の要部を示したものであり、図８（Ｂ）はその液晶セルの両配向膜の配向処理方向等の光学軸の関係を示したものである。この実施形態において、図１（Ａ）及び（Ｂ）に示す上記第１実施形態の場合と異なる点は、反射偏光板１９の透過軸１９ｐが第２の液晶セル１１の裏面側の配向膜１５の配向処理方向１５ａに対してほぼ直交されている点である。したがって、この場合、反射偏光板１９の反射軸１９ｓは第２の液晶セル１１の裏面側の配向膜１５の配向処理方向１５ａとほぼ平行とされている。
【００２９】
この液晶表示装置では、上記第１実施形態の表示動作から理解されるように、第１の液晶セル１の両電極２、３間に電圧が印加されず、第２の液晶セル１１の両電極１２、１３間にも電圧が印加されない状態にある場合には、カラー反射板２０の色での表示となり、第１の液晶セル１の両電極２、３間にのみ電圧が印加された場合には、黒表示となり、第２の液晶セル１１の両電極１２、１３間にのみ電圧が印加された場合には、鏡面表示となる。なお、カラー反射板２０の代わりに、図３（Ａ）に示すカラー印刷層２１を用いてもよく、また図４（Ａ）に示すカラーＥＬパネル２２を用いてもよく、さらに図５（Ａ）に示す拡散板２３及びカラー発光ダイオードアレイ２４を用いてもよい。また、第１の偏光板９の代わりに、カラー偏光板を用いてもよい。
【００３０】
（第２参考例）
図９（Ａ）は、第２参考例における液晶表示装置の要部を示したものであり、図９（Ｂ）はその液晶セルの両配向膜の配向処理方向等の光学軸の関係を示したものである。この参考例において、図１（Ａ）及び（Ｂ）に示す上記第１実施形態の場合と異なる点は、反射偏光板１９を第１の液晶セル１と第２の液晶セル１１との間に設けるとともに、第２の偏光板１０を第２の液晶セル１１の裏面側に設け、さらにカラー反射板２０の代わりに第２の偏光板１０の裏面に白色反射層２６を設けた点である。この場合、反射偏光板１９の透過軸１９ｐは第１の液晶セル１の裏面側の配向膜５の配向処理方向５ａに対してほぼ直交され、反射軸１９ｓは第１の液晶セル１の裏面側の配向膜５の配向処理方向５ａとほぼ平行とされている。
【００３１】
次に、この液晶表示装置の表示動作について説明する。まず、第１の液晶セル１の両電極２、３間に電圧が印加されず、第２の液晶セル１１の両電極１２、１３間にも電圧が印加されない状態にある場合には、表面側からの外光のうち第１の偏光板９を透過して入射した直線偏光光は、第１の液晶セル１を透過する過程で旋光作用を受けてほぼ９０°旋光され、次いで反射偏光板１９で正反射（鏡面反射）される。この反射光は第１の液晶セル１を透過する過程で旋光作用を受けてほぼ９０°旋光され、次いで第１の偏光板９を透過して表面側に出射される。したがって、この状態では、鏡面表示となる。また、この場合には、第２の液晶セル１１の両電極１２、１３間に電圧を印加しても、鏡面表示となる。つまり、光を反射偏光板１９で反射させ後方へ進行させないから、第２の液晶セル１１に電圧を印加してもしなくても、第１の液晶セル１に電圧を印加しなければ常に鏡面表示となる。
【００３２】
次に、第１の液晶セル１の両電極２、３間にのみ電圧が印加された場合には、表面側からの外光のうち第１の偏光板９を透過して入射した直線偏光光は、第１の液晶セル１を旋光作用を受けずにそのまま透過し、次いで反射偏光板１９を透過し、次いで第２の液晶セル１１を透過する過程で旋光作用を受けてほぼ９０°旋光され、次いで第２の偏光板１０を透過し、次いで反射層２６で反射される。この反射光は第２の偏光板１０を透過し、次いで第２の液晶セル１１を透過する過程で旋光作用を受けてほぼ９０°旋光され、次いで反射偏光板１９を透過し、次いで第１の液晶セル１を旋光作用を受けずにそのまま透過し、次いで第１の偏光板９を透過して表面側に出射される。したがって、この状態では、白表示となる。
【００３３】
次に、第１の液晶セル１の両電極２、３間に電圧が印加され、第２の液晶セル１１の両電極１２、１３間にも電圧が印加された場合には、表面側からの外光のうち第１の偏光板９を透過して入射した直線偏光光は、まず上述の場合と同様に、第１の液晶セル１及び反射偏光板１９を順次透過し、次いで第２の液晶セル１１を旋光作用を受けずにそのまま透過し、次いで第２の偏光板１０で吸収される。したがって、この状態では、黒表示となる。
【００３４】
以上のように、この液晶表示装置では、白黒表示のほかに鏡面表示を行なうことができ、したがって表示のバリエーションを豊かにすることができる。
【００３５】
なお、上記第２参考例では、第２の液晶セル１１の裏面側に第２の偏光板１０を設け、第２の偏光板１０の裏面に反射層２６を設けた場合について説明したが、これに限定されるものではない。例えば、第２の偏光板１０の代わりにカラー偏光板を用いてもよい。この場合、白表示とカラー偏光板をそのまま透過する光の色での表示との２色表示のほかに、鏡面表示が行なわれる。また、反射層２６の代わりにカラー印刷層（またはカラー反射板）を用いてもよい。この場合、黒表示とカラー印刷層の色での表示との２色表示のほかに、鏡面表示が行なわれる。また、反射層２６の代わりにカラーバックライトを用いてもよい。この場合、黒表示とカラーバックライトの色での表示との２色表示のほかに、鏡面表示が行なわれる。さらに、第２の偏光板１０の代わりにカラー偏光板を用い、かつ反射層２６の代わりにカラー印刷層（またはカラー反射板あるいはカラーバックライト）を用いてもよい。この場合、カラー偏光板をそのまま透過する光の色での表示とカラー印刷層の色での表示との２色表示のほかに、鏡面表示が行なわれる。
【００３６】
ところで、上記第２参考例では、第１の液晶セル１の両電極２、３をセグメント型とした場合について説明したが、これに限らず、両電極２、３を共に１枚板形状つまりベタパターンとしてもよい。このようにすると、第１の液晶セル１の両電極２、３間にのみ電圧が印加された場合には、全面白表示（背景）となる。したがって、この状態において第２の液晶セル１１の両電極１２、１３間に電圧が印加された場合には、白背景に黒表示が行なわれることになる。また、第１の液晶セル１の両電極２、３間への電圧の印加を停止すると、第２の液晶セル１１の両電極１２、１３に選択的に電圧を印加しても全面が鏡面表示となる。つまり、ポジ型白黒表示に鏡面のシャッタ表示を組み合わせた表示となる。さらに、上記第１乃至第５実施形態においては、第１の液晶セル１、第２の液晶セル１１の各電極パターンを同じにしたが、各電極パターンを異ならせてもよく、その場合は、表示パターンのバリエーションも増やすことができる。くわえて、第１の液晶セル１、第２の液晶セル１１の各電極パターンは、セグメント型に限らず、単純マトリクス型としてもよい。
【００３７】
【発明の効果】
以上説明したように、この発明によれば、第１及び第２の液晶セルの各液晶への電圧の印加の有無により、反射板またはバックライト手段に応じた色での表示と黒表示と鏡面表示を行なうことができ、表示のバリエーションを豊かにすることができる。
【図面の簡単な説明】
【図１】  （Ａ）はこの発明の第１実施形態における液晶表示装置の要部の断面図、（Ｂ）はその液晶セルの両配向膜の配向処理方向等の光学軸の関係を説明する説明図。
【図２】  反射偏光板を説明するために示す斜視図。
【図３】  （Ａ）はこの発明の第２実施形態における液晶表示装置の要部の断面図、（Ｂ）はその液晶セルの両配向膜の配向処理方向等の光学軸の関係を説明する説明図。
【図４】  （Ａ）はこの発明の第３実施形態における液晶表示装置の要部の断面図、（Ｂ）はその液晶セルの両配向膜の配向処理方向等の光学軸の関係を説明する説明図。
【図５】  （Ａ）はこの発明の第４実施形態における液晶表示装置の要部の断面図、（Ｂ）はその液晶セルの両配向膜の配向処理方向等の光学軸の関係を説明する説明図。
【図６】  （Ａ）は第１参考例における液晶表示装置の要部の断面図、（Ｂ）はその液晶セルの両配向膜の配向処理方向等の光学軸の関係を説明する説明図。
【図７】  赤色偏光板を説明するために示す斜視図。
【図８】  （Ａ）はこの発明の第５実施形態における液晶表示装置の要部の断面図、（Ｂ）はその液晶セルの両配向膜の配向処理方向等の光学軸の関係を説明する説明図。
【図９】  （Ａ）はこの発明の第２参考例における液晶表示装置の要部の断面図、（Ｂ）はその液晶セルの両配向膜の配向処理方向等の光学軸の関係を説明する説明図。
【符号の説明】
１ 第１の液晶セル
９ 第１の偏光板
１０ 第２の偏光板
１１ 第２の液晶セル
１９ 反射偏光板
２０ カラー反射板
２１ カラー印刷層
２２ カラーエレクトロルミネセンスパネル
２４ カラー発光ダイオードアレイ
２５ 赤色偏光板
２６ 反射層
【図１】
0003800781.tif 000002
【図２】
0003800781.tif 000003
【図３】
0003800781.tif 000004
【図４】
0003800781.tif 000005
【図５】
0003800781.tif 000006
【図６】
0003800781.tif 000007
【図７】
0003800781.tif 000008
【図８】
0003800781.tif 000009
【図９】
0003800781.tif 000010